(57)【要約】【課題】  通気性を有する果実収納フィルム部材及びそれを使用した果実収納容器を提供することを目的とする。【解決手段】  柔軟性のある熱可塑性合成樹脂薄フィルムに、果実収納凹部形成用凹型が凹設された成形型を対向させ、上記凹型内に形成された小貫通孔を介して真空吸引し、上記薄フィルムの一面に上記凹型に沿う形状の柔軟な果実収納凹部を塑性変形により形成し、これにより果実収納薄フィルムを形成し、外周枠の開口周縁に上記果実収納薄フィルムを水平方向に伸張した状態で張設すると共に、該薄フィルムの外周部と上記外周枠とを接合することにより果実収納フィルム部材を形成し、上記果実収納凹部内には上記成形型下方への上記真空吸引により、上記小貫通孔に対応する箇所に小通気孔を貫通形成する。【選択図】  図１
2011073734.tif 000002
【特許請求の範囲】
【請求項１】
柔軟性のある熱可塑性合成樹脂薄フィルムの一面に、果実収納凹部形成用凹型が凹設された成形型を対向させ、上記凹型内に形成された小貫通孔を介して上記薄フィルムを成形型下方に真空吸引し、上記薄フィルムの一面に平坦面を介して上記凹型に沿う形状の柔軟な果実収納凹部を塑性変形により形成し、これにより果実収納用の果実収納薄フィルムを形成し、
所定の上下幅を有する側板により上下開口環状の外周枠を形成し、該外周枠の一方の開口周縁に上記果実収納薄フィルムを水平方向に伸張した状態で張設すると共に、該薄フィルムの外周部と上記外周枠とを接合することにより果実収納フィルム部材を形成し、
上記果実収納凹部の底部は上記外周枠の下端位置より上方に位置させることにより、上記凹部に収納された果実を上記凹部により宙吊り状態で支持可能に形成し、
かつ上記果実収納凹部内には上記成形型下方への上記真空吸引により、上記小貫通孔に対応する箇所に小通気孔が貫通形成されているものであることを特徴とする果実収納フィルム部材。
【請求項２】
底板および側板を有する上面開口有底箱体にその上面開口部を閉鎖するように上記果実収納フィルム部材を装着し、
上記果実収納薄フィルムの上記果実収納凹部に果実を収納した状態において、上記上面開口有底箱体の底板と上記果実収納凹部との間に空間が介在するように構成したものであることを特徴とする請求項１記載の果実収納フィルム部材を使用した果実収納容器。
【請求項３】
上記果実収納フィルム部材の上記果実収納凹部は上記果実収納薄フィルムの平坦面を介して複数形成されており、
上記箱体の底板には、隣接する上記果実収納凹部間の上記薄フィルムの平坦面を裏面側から支持する支持突起を具備しているものであることを特徴とする請求項２記載の果実収納容器。
【請求項４】
上記果実収納凹部形成用凹型内に形成された小貫通孔は複数形成されており、上記果実収納薄フィルムの果実収納凹部の小通気孔も上記小貫通孔に対応して複数形成されているものであることを特徴とする請求項１記載の果実収納フィルム部材。
【請求項５】
上記外周枠を方形に形成した上記果実収納フィルム部材であって、上記果実収納薄フィルムが張設された状態の上記外周枠の長手方向の略中央部を対向方向に折り曲げ可能に構成したものであることを特徴とする請求項１又は４記載の果実収納フィルム部材。
【請求項６】
上記果実収納凹部形成用凹型内に形成された小貫通孔は複数形成されており、上記果実収納薄フィルムの果実収納凹部の小通気孔も上記小貫通孔に対応して複数形成されているものであることを特徴とする請求項２又は３記載の果実収納容器。
【請求項７】
平坦面に果実収納凹部を形成するための複数の果実収納凹部形成用凹型が形成されると共に、上記各凹型の各々の内部に下向に貫通する複数の小通気孔成形用の小貫通孔を設けることにより果実収納フィルム成形型を形成し、
上記果実収納フィルム成形型の上記平坦面の上方に熱可塑性合成樹脂薄フィルムを配置し、
上記熱可塑性合成樹脂薄フィルムをヒータにより加熱して軟化させ、
軟化した上記熱可塑性合成樹脂薄フィルムを上記平坦面に接触させると共に、上記成形型の下方から上記小貫通孔を介して真空吸引することにより、上記凹型内に上記フィルムを吸着させて上記凹型に対応する柔軟な果実収納凹部を塑性変形により形成する果実収納薄フィルムの成形方法であって、
上記凹型内に上記小貫通孔を複数個形成し、
上記真空吸引により上記凹型内に上記薄フィルムが吸着されて上記果実収納凹部が塑性変形により形成された後、さらに上記真空吸引を持続することにより、上記果実収納凹部内の上記小貫通孔に対応する位置に上記薄フィルムを貫通する複数の小通気孔を形成することを特徴とする果実収納薄フィルムの製造方法。
【発明の詳細な説明】
【技術分野】
【０００１】
本発明は例えばイチジク等の果実等を宙吊り状態で包装するために使用され、通気性を有する果実収納フィルム部材及びそれを使用した果実収納容器、及び果実収納フィルム部材に用いられる果実収納薄フィルムの製造方法を提供することを目的とする。
【背景技術】
【０００２】
従来、柔軟な薄フィルムの表面に平坦部を介して複数の果実収納凹部を形成し、当該フィルムを硬質のトレーに張設し、これら果実収納凹部内に果実を宙吊り状態で収納することにより、果実損傷防止機能を有する果実収納トレーが提案されている（特許文献１）。
【０００３】
かかるトレーは、果実収納凹部に果実を収納すると、樹脂フィルムが果実の下半部に被覆され、かかる状態において収納果実の底面がトレー底面に接触することなく果実を宙吊り状態で支持するものであった。
【０００４】
また、上記果実収納凹部を具備する薄フィルムを蓋体に張設し、当該蓋体を上記果実収納トレー上に嵌合させることにより、上記凹部によって上記果実の上半部を支持し、これにより果実の上下を柔軟な薄フィルムの各々果実収納凹部にて宙吊り状態で支持するトレーも提案されている（特許文献２）。
【先行技術文献】
【特許文献】
【０００５】
【特許文献１】特開２００８−８１１９５
【特許文献２】特開２００９−９６５４７
【発明の概要】
【発明が解決しようとする課題】
【０００６】
ところで、果実は、収穫後も呼吸をしているため、その上半部或いは下半部を上記フィルムで被覆した状態においては、果実から排出される気体或いは果実に含まれる水分の蒸発により、フィルムの内面に曇りや水滴が生ずることがある。このようにフィルムに曇りや水滴が生ずると内容物の品質劣化を招くおそれがある。
【０００７】
このため、上記薄フィルムの果実収納凹部における果実の宙吊り機能を損なわずにそのフィルムに通気性を持たせることが望まれていた。
【０００８】
また、薄フィルムに通気性を持たせるため、成形後の薄フィルムの果実収納凹部に手作業で通気孔を形成することも考えられるが、多数の果実収納凹部に手作業で多数の通気孔を形成するのは非効率的であった。
【０００９】
本発明は上記従来の課題に鑑みてなされたものであり、果実を宙吊り収納するための果実収納フィルム部材であって、通気性を有する果実収納フィルム部材及びそれを使用した果実収納容器、さらには通気性を有する果実収納薄フィルムの効率的な製造方法を提供することを目的とする。
【課題を解決するための手段】
【００１０】
上記の目的を達成するため本発明は、
第１に、柔軟性のある熱可塑性合成樹脂薄フィルムの一面に、果実収納凹部形成用凹型が凹設された成形型を対向させ、上記凹型内に形成された小貫通孔を介して上記薄フィルムを成形型下方に真空吸引し、上記薄フィルムの一面に平坦面を介して上記凹型に沿う形状の柔軟な果実収納凹部を塑性変形により形成し、これにより果実収納用の果実収納薄フィルムを形成し、所定の上下幅を有する側板により上下開口環状の外周枠を形成し、該外周枠の一方の開口周縁に上記果実収納薄フィルムを水平方向に伸張した状態で張設すると共に、該薄フィルムの外周部と上記外周枠とを接合することにより果実収納フィルム部材を形成し、上記果実収納凹部の底部は上記外周枠の下端位置より上方に位置させることにより、上記凹部に収納された果実を上記凹部により宙吊り状態で支持可能に形成し、かつ上記果実収納凹部内には上記成形型下方への上記真空吸引により、上記小貫通孔に対応する箇所に小通気孔が貫通形成されているものであることを特徴とする果実収納フィルム部材により構成される。
【００１１】
上記フィルムの外周部は、上記フィルムに設けられた係合用折曲部（１ｂ）により構成することができるが、フィルムの外周部（外周余部）を外周枠側に折り曲げることにより構成することもできる。上記フィルムの外周部と外周枠との接合は、例えばホットメルト接着剤によりスポット状に接着することにより構成することができる。上記成形型下方に真空吸引することは、例えば成形型下方に設けた真空吸引装置によって成形型の下方に向けて空気を吸引することにより実現できる。このように構成すると、真空吸引の方法により熱可塑性合成樹脂薄フィルムに果実収納凹部の形成と共に小通気孔を形成することができ、小通気孔のみを手作業で形成することなく効率的に小通気孔を形成することができる。また、小通気孔により、フィルムに通気性を持たせることができ、果実等の品質劣化を防止し得る。
【００１２】
第２に、底板および側板を有する上面開口有底箱体にその上面開口部を閉鎖するように上記果実収納フィルム部材を装着し、上記果実収納薄フィルムの上記果実収納凹部に果実を収納した状態において、上記上面開口有底箱体の底板と上記果実収納凹部との間に空間が介在するように構成したものであることを特徴とする上記第１記載の果実収納フィルム部材を使用した果実収納容器により構成される。
【００１３】
このように構成すると、果実を柔軟な果実収納凹部に宙吊り状態で支持することができ、果実の損傷を防止し得ると共に、薄フィルムの小通気孔により、通気性を維持することができる。
【００１４】
第３に、上記果実収納フィルム部材の上記果実収納凹部は上記果実収納薄フィルムの平坦面を介して複数形成されており、上記箱体の底板には、隣接する上記果実収納凹部間の上記薄フィルムの平坦面を裏面側から支持する支持突起を具備しているものであることを特徴とする上記第２記載の果実収納容器により構成される。
【００１５】
このように構成すると、複数の果実を複数の柔軟な果実収納凹部に宙吊り状態で支持することができ、果実の損傷を防止し得ると共に、果実収納薄フィルムの小通気孔により、通気性を維持することができる。
【００１６】
第４に、上記果実収納凹部形成用凹型内に形成された小貫通孔は複数形成されており、上記果実収納薄フィルムの果実収納凹部の小通気孔も上記小貫通孔に対応して複数形成されているものであることを特徴とする上記第１記載の果実収納フィルム部材により構成される。
【００１７】
このように構成すると、複数の小通気孔により十分な通気性を有する果実収納フィルム部材を実現できる。
【００１８】
第５に、上記外周枠を方形に形成した上記果実収納フィルム部材であって、上記果実収納薄フィルムが張設された状態の上記外周枠の長手方向の略中央部を対向方向に折り曲げ可能に構成したものであることを特徴とする上記第１又は４記載の果実収納フィルム部材により構成される。
【００１９】
このように構成すると、果実収納フィルム部材を折り曲げることにより、上面開口有底箱体に容易に装着して果実収納容器を構成することができる。
【００２０】
第６に、上記果実収納凹部形成用凹型内に形成された小貫通孔は複数形成されており、上記果実収納薄フィルムの果実収納凹部の小通気孔も上記小貫通孔に対応して複数形成されているものであることを特徴とする上記第２又は３に記載の果実収納容器により構成される。
【００２１】
このように構成すると、複数の小通気孔により十分な通気性を有する果実収納容器を実現できる。
【００２２】
第７に、平坦面に果実収納凹部を形成するための複数の果実収納凹部形成用凹型が形成されると共に、上記各凹型の各々の内部に下向に貫通する複数の小通気孔成形用の小貫通孔を設けることにより果実収納フィルム成形型を形成し、上記果実収納フィルム成形型の上記平坦面の上方に熱可塑性合成樹脂薄フィルムを配置し、上記熱可塑性合成樹脂薄フィルムをヒータにより加熱して軟化させ、軟化した上記熱可塑性合成樹脂薄フィルムを上記平坦面に接触させると共に、上記成形型の下方から上記小貫通孔を介して真空吸引することにより、上記凹型内に上記フィルムを吸着させて上記凹型に対応する柔軟な果実収納凹部を塑性変形により形成する果実収納薄フィルムの成形方法であって、上記凹型内に上記小貫通孔を複数個形成し、上記真空吸引により上記凹型内に上記薄フィルムが吸着されて上記果実収納凹部が塑性変形により形成された後、さらに上記真空吸引を持続することにより、上記果実収納凹部内の上記小貫通孔に対応する位置に上記薄フィルムを貫通する複数の小通気孔を形成することを特徴とする果実収納薄フィルムの製造方法により構成される。
【００２３】
このような製造方法によると、果実収納薄フィルムに小通気孔を有する柔軟な果実収納凹部を非常に効率的に形成することができ、薄フィルム成形後に手作業で通気孔を形成する必要がない。
【発明の効果】
【００２４】
本発明は上述のように、果実収納薄フィルムに果実収納凹部の形成と共に小通気孔を形成することができ、小通気孔のみを手作業で形成することなく効率的に小通気孔を形成できる果実収納フィルム部材を実現することができる。
【００２５】
また、果実収納凹部に形成された小通気孔により、果実収納薄フィルムに通気性を持たせることができ、果実等の品質劣化を防止し得る果実収納フィルム部材及びそれを使用した果実収納容器を実現することができる。
【００２６】
また、果実を柔軟な果実収納凹部に宙吊り状態で支持することができ、果実の損傷を防止し得ると共に、果実収納薄フィルムの小通気孔により、通気性を維持することができる果実収納容器を実現することができる。
【００２７】
また、複数の小貫通孔により十分な通気性を有する果実収納フィルム部材及び果実収納容器を実現できる。
【００２８】
また、本発明の果実収納薄フィルムの製造方法によると、果実収納薄フィルムに小通気孔を有する柔軟な果実収納凹部を非常に効率的に形成することができ、果実収納薄フィルム成形後に手作業で通気孔を形成する必要がない。さらに、果実を傷付けることのない良形の小通気孔を形成し得る。
【図面の簡単な説明】
【００２９】
【図１】本発明に係る果実収納フィルム部材の分解斜視図である。
【図２】同上部材の斜視図である。
【図３】同上部材の製造用成形型の断面図を含む製造過程を示すものであり、（ａ）は熱可塑性合成樹脂フィルムの加熱工程、（ｂ）は同上フィルムの真空吸引工程、（ｃ）は同上フィルムの離脱工程を示す。
【図４】（ａ）は同上部材の成形型の一部拡大断面図、（ｂ）は同上部材の成形型から果実収納フィルムを離脱した状態の一部拡大断面図である。
【図５】果実収納容器の分解斜視図である。
【図６】（ａ）は果実収納容器の分解側面断面図、（ｂ）は同上容器の側面断面図である
【図７】同上容器の斜視図である。
【図８】同上部材を成形するための成形型の平面図、（ｂ）は同上成形型の側面断面図である。
【図９】果実収納薄フィルムに形成される小通気孔の断面図である。
【発明を実施するための形態】
【００３０】
以下、添付図面に従って、本発明に係る果実収納フィルム部材１０（図２）及び果実収納容器１２（図７）の実施形態を詳細に説明する。尚、以下の説明において果実収納フィルム部材１０、果実収納容器１２等の「果実」という文言を用いるが、収納されるものは果実に限定されず、収穫後も呼吸を行う野菜類等も含む。また、以下の説明において、果実収納凹部３が形成されたフィルムを「果実収納薄フィルム１」（図１）、該果実収納薄フィルム１を外周枠２に装着した状態のものを「果実収納フィルム部材１０」（図２）、該果実収納フィルム部材１０を上面開口有底箱体８に装着したものを「果実収納容器１２」（図７）という。
【００３１】
図１は同上フィルム部材の熱可塑性合成樹脂薄フィルムによる果実収納薄フィルム１と当該薄フィルム１が被せられる外周枠２を示すものである。上記果実収納薄フィルム１は薄くかつ柔軟な熱可塑性合成樹脂薄フィルムにより形成されており、その平坦面１ａに該平坦面１ａを介して複数の柔軟な果実収納用凹部３が塑性変形により形成されていると共に、上記平坦面１ａの周囲には該平坦面１ａから略直交する方向に柔軟な係合用折曲部１ｂが外周部として一体的に形成されている。
【００３２】
上記果実収納薄フィルム１は、図２に示すように、その係合用折曲部１ｂの部分を以って、外周枠２の一方の開口である上面開口２ａを閉鎖するように、一方の開口２ａ周縁に被せられ、薄フィルム１の一面である平坦面１ａを水平方向の縦横方向に若干牽引（伸張）した張設状態（ピンと張った状態）で薄フィルム１の係合用折曲部１ｂの複数の接着部Ｐをホットメルト接着剤等により外周枠２に接合（接着）する。
【００３３】
上記係合用折曲部１ｂは上記果実収納薄フィルム１の一面の周縁に全周に亘り設けられているものであって、上記平坦面１ａに対して略直交する方向に塑性変形により一体的に形成されたものである。
【００３４】
上記果実収納薄フィルム１の外周部としての上記係合用折曲部１ｂは、上記薄フィルム１を上記外周枠２（成形時は成形型６の上面）より広く形成し、当該薄フィルム１を上記外周枠２の上記上面開口２ａに宛がい、上記外周部（外周余部）を上記外周枠２側に折り曲げて、折り曲げ部の複数箇所と上記外周枠２との複数箇所をホットメルト接着剤等により接合することにより構成しても良い。
【００３５】
上記果実収納薄フィルム１は、熱可塑性合成樹脂薄フィルムにより構成されている。この熱可塑性合成樹脂薄フィルムは、その厚さが１０μｍ〜３００μｍの極めて薄い柔軟性のあるフィルムであり、その材質はポリエチレン、ポリプロピレン、ポリウレタン、ポリスチレン等の薄膜透明又は半透明又は不透明の熱可塑性フィルムが用いられる。尚、以下の実施形態において、特に指摘しない場合において、果実収納薄フィルム１の厚さは上記と同様である。本実施形態のように果実としてイチジクを収納する場合は、果実収納薄フィルムの厚さは例えば９０μｍのものを使用する。
【００３６】
この薄フィルム１は、図１に示すように、平坦面１ａに縦横に果実（この場合はイチジク）の下半部が嵌合する形状（イチジクの下半部の形状）の果実収納凹部３が中間（果実収納凹部３間）の平坦面１ａ’を介して、真空吸引による塑性変形により複数個形成されている。図１の実施形態では、４個の果実収納凹部３が３列（計１２個）形成されているが、その個数及び凹部の形状は任意であり、収納する果実の形状、個数により変更可能である。
【００３７】
また、上記各果実収納凹部３の内部には通気用の小通気孔３ａ（本実施形態では直径約０．８ｍｍ）が複数個当該フィルム１を貫通して形成されている。上記果実収納凹部３は、果実収納薄フィルム１成形用の熱可塑性合成樹脂薄フィルム１’に、果実収納凹部形成用凹型４が凹設された成形型６を対向させ（図３（ａ）参照）、上記凹型４内に形成された複数の小貫通孔５（本実施形態では直径約１．５ｍｍ）を介して成形型６下方に真空吸引し、上記薄フィルム１の一面に平坦面１ａ，１ａ’を介して上記凹型４に沿う形状の柔軟な果実収納凹部３を塑性変形により形成する。また、上記果実収納凹部３内の上記小通気孔３ａは、上記成形型６の下方への真空吸引により、上記小貫通孔５に対応する箇所に小通気孔３ａが複数個貫通形成されるものである。
【００３８】
このような果実収納薄フィルム１は、図３に示す真空成型法により形成することができる。上記果実収納薄フィルム１は果実収納フィルム成形型（成形型）６により成形する（図３参照）。上記成形型６は、上面の平坦面６ａに複数の果実収納凹部形成用凹型４が上記平坦面６ａを介して凹設され、さらに該凹型４内部に複数の吸引用の小貫通孔５が成形型６の下向きに貫通して形成された略直方体形状をなすものである（図８参照）。この成形型６を網状板７上に水平に設置する。上記凹型４の形状はイチジクの下半部に対応する形状をなしている（図８参照）。
【００３９】
その後、果実収納薄フィルム１を成形するための熱可塑性合成樹脂薄フィルム１’を上記成形型６の上記平坦面６ａ上方に対向して配置し、ヒータＨにより数秒間加熱してフィルム１’を軟化させる。
【００４０】
そして、上記ヒータＨにより軟化させた上記熱可塑性合成樹脂薄フィルム１’を上記成形型６方向に下降させ、そのフィルム面を上記成形型６の平坦面（上面）６ａに接触させる（図３（ａ）熱可塑性合成樹脂薄フィルム１’の二点鎖線の状態）。次に、真空吸引装置（図示せず）にて、上記成形型６の下方であって上記網状板７下方から空気を矢印ａ，ａ’方向（下方）に吸引する。すると、上記吸引用小貫通孔５を介して成形型６下方に真空吸引（矢印ａ）され、また、成形型６の周囲において網状板７下方に真空吸引（矢印ａ’）され、これにより図１に示す柔軟な果実収容凹部３及び柔軟な係合用折曲部１ｂを有する柔軟な熱可塑性合成樹脂薄フィルム１’（成形後のフィルムを果実収納薄フィルム１という）を形成することができる。
【００４１】
上記真空吸引を行うと（吸引時間は例えば約０．１秒間）、上記複数の小貫通孔５より空気が矢印ａ方向に吸引されるため、上記果実収納凹部形成用凹型４内に上記熱可塑性合成樹脂薄フィルム１’が吸着され、上記薄フィルム１’に上記凹型４内の凹形状に沿った形状の果実収納凹部３が塑性変形により形成される（図３（ｂ）の状態）。
【００４２】
また、上記成形型６の外周部においても網状板７の下方向けて真空吸引されるため（矢印ａ’）、上記熱可塑性合成樹脂薄フィルム１’の上記成形型６の外周の平坦面６ａより外部（外周余部）は成形型６の側面に沿って下方に折れ曲がるように上記成形型６の外側面に吸着され、係合用折曲部１ｂがフィルム１’の平坦面１ａの周囲に塑性変形により形成される（図３（ｂ）参照）。この時点では、果実収納凹部３内には小通気孔３ａは未だ開口されていない。
【００４３】
そして、上記熱可塑性合成樹脂薄フィルム１’に上記果実収納凹部３が形成された後、さらに上記真空吸引を持続すると(例えば、上記０．１秒間の真空吸引の後、さらに約０．５秒〜１秒間真空吸引を持続すると)、上記凹型４内に吸着された上記熱可塑性合成樹脂薄フィルム１’において、上記凹型４内の小貫通孔５に対応する箇所の薄フィルム１’が上記小貫通穴５内に吸引されていき（図４（ａ）参照）、上記小貫通孔５に対応するフィルム１の箇所が塑性変形の限界を超えて下方に向けて吸引されるように貫通して小通気孔３ａが貫通形成される（図４（ｂ）参照）。これにより、上記果実収納凹部３内には、図１に示すような小通気孔３ａが複数貫通形成される。本実施形態では、上記成形型６の各凹型４内には１７個の小貫通孔５が形成されているので（図８参照）、上記熱可塑性合成樹脂薄フィルム１の果実収納凹部３にもそれに対応して１７個の小通気孔３ａが形成される。上記真空吸引持続時間は上記時間に限定されず、上記フィルムの厚み等の成形条件に応じて変更し得るものであり、必要により長短可変させることで良形の小通気孔３ａを形成することができる。
【００４４】
このように、上記小通気孔３ａは、上記果実収納凹部３の成形課程において、果実収納凹部３が塑性変形により形成された後、真空吸引動作を持続することにより、全ての果実収納凹部３において略同時期に生成されるため、非常に効率的に小通気孔３ａを生成することができる。
【００４５】
また、上記小通気孔３ａの生成は、上記成形型６の下方への上記真空吸引により、上記小貫通孔５に対応する箇所に小通気孔３ａが貫通形成されるため、図４（ｂ）に示すように、小貫通孔３ａの周囲に下向きのバリ３ａ’が形成される場合もある。しかしながら、このようなバリ３ａ’は果実収納凹部３の底部から下向きに形成されるものであるから、当該果実収納凹部３内に果実を収納した場合に、果実を傷付けることはなく、果実に対して何ら作用を及ぼさない。また、上記小通気孔３ａに上記バリ３ａ’が残ることにより小通気孔３ａの保形性が維持され、フィルム１を柔軟に変形させても上記小通気孔３ａの通気性が損なわれないという効果を有する。さらに、図９に示すように、上記小通気孔３ａは、下向きの真空吸引により形成されるため、１つの小通気孔３ａの開口周縁３’は下向きの滑らかな面（下向きの湾曲面）３”となり、刃物で突き刺して開口した場合のような鋭い切欠端縁や刺裂縁が形成されないので、凹部３の上方から見て美粧性に優れ、かつ上記小貫通孔３ａ近傍において、上記切欠端縁や刺裂縁によって収納果実に引掻傷等が生ずることはなく、小貫通孔３ａ周辺においても果実が損傷することはないという効果を有する。
【００４６】
上記全ての果実収納凹部３において小通気孔３ａが貫通形成された後、上記熱可塑性合成樹脂薄フィルム（果実収納薄フィルム）１を成形型６から離脱させる（図３（ｃ）参照）。このとき、上記係合用折曲部１ｂの外周の水平部分１ｂ’は不要であるので、該水平部分１ｂ’は位置ｃにて切除する。
【００４７】
このような方法により成型された果実収納薄フィルム１は、柔軟性のある複数の果実収納凹部３が塑性変形により形成された平坦面１ａと、その平坦面１ａの周縁の全周から略直交する方向（図１では下方向）に柔軟性のある係合用折曲部１ｂが塑性変形により上記平坦面１ａと一体的に形成されている。
【００４８】
この果実収納薄フィルム１は、成型後においては図１に示すような形状を維持しているが、その厚さが極めて薄いため、全体的に柔軟性を有しており、２つ折り或いは３つ折りに折り畳む等によりコンパクトに収納できるし、上下方向に積み重ねた場合は、上記係合用折曲部１ｂ及び果実収納凹部３が上下方向に不定形に圧縮された状態となり、多数のフィルム１を積み重ねても嵩張らずに収納、運搬が可能となる。尚、上記凹部３等は不定形に圧縮した後においても、塑性変形しているため元の果実収納凹部３、係合用折曲部１ｂの形状を維持しており、物品を収納することに関して何ら支障はない。
【００４９】
上記外周枠２は（図１参照）、一定幅（上下幅）のダンボール又は合成樹脂の側板２ｂを環状、例えば方形に接続構成したものである。
【００５０】
図２に示すものは、上述のように構成された果実収納薄フィルム１の係合用折曲部１ｂを外周枠２に被せることにより果実収納フィルム部材１０を形成したものである。上記薄フィルム１を上記外周枠２に被せることにより、当該薄フィルム１はその平坦面１ａがその周囲の四辺の方向（水平方向）に牽引（伸張）され、上記平坦面１ａはピンと張った張設状態となる。そして、上記フィルム１の係合用折曲部１ｂの接着部Ｐをホットメルト接着剤等により外周枠２に接着することにより、外周枠２と上記フィルム１とを接合し、これにより果実収納フィルム部材１０が形成される。
【００５１】
上記外周枠２を図１に示すように、方形（図１の場合は長方形）に形成した場合は、上記果実収納薄フィルム１が張設された状態の上記外周枠２の長手方向側板２ｂの略中央部に折溝を設け、該折溝から対向方向に折り曲げ可能に構成している（図５参照）。このように構成すると、果実収納フィルム部材１０自体を折り曲げてコンパクトに収納することができ、運送時の積載効率を向上することができるし、上面開口有底箱体８内に装着するときも、上記長手方向側板２ｂ中央部を対向方向に折り曲げることにより、容易に上記箱体８に装着することができる。
【００５２】
上記果実収納凹部３の深さは、外周枠２の側板２ｂの高さの約１／２程度に形成されており、上記外周枠２を箱体８に装着した状態においても、上記凹部３と箱体底板８ａとの間に空間Ｓが生じるように構成されている（図６（ｂ）参照）。
【００５３】
８は、上面開口有底箱状の直方体形状の箱体（上面開口有底箱体）であり（図５参照）、ダンボールにより形成されている。この箱体８は、底板８ａと四方に起立する側板８ｂからなり、その内部の長手方向に沿う中央部には起立板９，９が２列に設けられていると共に、この２列の起立板９，９の中央部にはこれらの起立板９，９に各々直交する起立板９’が設けられている。上記起立板９，９には、長手方向の一定間隔おきの各３箇所に上向きの支持突起９ａが突出形成されており、上記起立板９’の長手方向の一定間隔おきの２箇所に上向きの支持突起９ｂが突出形成されている。そして、上記起立板９，９の中央の支持突起９ａ，９ａと上記支持突起９ｂ，９ｂは互いに直交状態で交差することにより、一体的な支持突起９ｃ，９ｃが形成されている。
【００５４】
これらの支持突起９ａ，９ｃは上記果実収納フィルム部材１０を上記箱体８内に収納載置したとき、上記各支持突起９ａ，９ｃの上端が上記果実収納薄フィルム１の平坦面１ａ’の裏面側に接触し、これにより上記薄フィルム１を支持し、果実収納凹部３内に収納された果実１１の宙吊り状態での支持を実現するものである（図６（ｂ））。
【００５５】
即ち、この起立板９の支持突起９ａ，９ｃは上記果実収納フィルム部材１０を当該箱体８に装着した場合、上記フィルム１の平坦面１ａ’の裏面を支持して、フィルム１の平坦面１ａ’の下方への湾曲（垂れ）を防止するものである（図６（ｂ）参照）。よって、上記各支持突起９ａ，９ｃはその上面が上記各果実収納凹部３間の平坦面１ａ’に位置するように構成されている。上記起立片９は底板８ａに同形状の切込み９”を設け（図５二点鎖線参照）、立ち上げ式に形成し、別途形成の起立片９’を装着するように構成しても良いし、上記底板８ａには開口を設けずに、上記起立片９，９’を全て別部品として形成しても良い。上記起立片９を立ち上げ式にすると、上記起立片９を立ち上げた状態において上記底板８ａに切込み９”による開口が形成されるので、果実収納容器１２としての通気性をさらに向上させることができる。
【００５６】
本発明の果実収納フィルム部材１０は、上述のように構成されるものであるから、当該部材１０を構成するには、果実収納薄フィルム１の係合用折曲部１ｂを外周枠２に被せ、平坦面１ａを縦横水平方向に張設した状態で、ホットメルト接着剤によりその係合用折曲部１ｂの複数箇所（接着部Ｐ）と上記外周枠２とを接合（接着）する。その後、図５に示すように、果実収納フィルム部材１０の外周枠２の長手方向側板２ｂの略中央部を内側に折り曲げた状態で箱体８の上面開口部８ｃを閉鎖するように、該箱体８内に設置することにより、果実収納容器１２を形成すればよい（図５、図６、図７参照）。上記果実収納フィルム部材１０を上述のように折り曲げても、果実収納薄フィルム１は極めて薄いので容易に変形し、該部材１０を上記箱体８内に載置して手を離せば、上記外周枠２が長方形状に弾性復帰し、上記果実収納薄フィルム１も張設状態に復帰して図７に示す果実収納容器１２が形成される。このとき、上記起立片９’の両端部が上記外周枠２の長手方向側板２ｂの折曲部近傍に位置するため、上記長手方向側板２ｂの折曲部の内側は、上記起立片９’の両端部により支持され、外周枠２の長方形の状態が維持される（図６（ｂ））。
【００５７】
このとき、上記果実収納フィルム部材１０の外周枠２は箱体８の側板８ｂ内側に位置し、当該フィルム部材１０が箱体８内部に収納された状態となる（図６（ｂ））。尚、上記外周枠２の外形寸法は、上記箱体８の上面開口部８ｃの面積より若干小に形成されており、上記果実収納フィルム部材１０を上記箱体８内に装着すると、上記フィルム部材１０の果実収納フィルム１の平坦面１ａが上記箱体８の上面開口部８ｃを閉鎖するように該開口部８ｃ全体に位置するように構成されている（図７参照）。
【００５８】
また、上記果実収納フィルム部材１０を上記箱体８内に収納載置すると、上記薄フィルム１の平坦面１ａは、上記箱体８の上縁８ｄより低い水準位置に位置し、これにより果実収納凹部３内に果実１１を収納したときに、果実１１の上部が上記上縁８ｄより上に位置しないように構成されている（図６（ｂ））。
【００５９】
その後、果実収納フィルム部材１０を箱体８に装着した状態で、上記フィルム１の平坦面１ａの各果実収納凹部３に果実１１（本実施形態ではイチジク）を収納すればよい（図６（ｂ）参照）。
【００６０】
上記果実収納フィルム部材１０を上記箱体８内に装着すると、その外周枠２の下部が箱体底板８ａに載置した状態で、上記薄フィルム１の果実収納凹部３の下部と箱体底板８ａとの間には空間Ｓが形成されると共に、上記薄フィルム１の平坦面１ａは箱体８の上縁８ｄの位置より低い水準位置に位置するように構成されている（図６（ｂ）、図７参照）。
【００６１】
従って、上記果実１１を上記果実収納凹部３に収納すると、図６（ｂ）に示すように、該果実１１はその下半部表面に柔軟性のある果実収納凹部３内の薄フィルム１が密着した状態で収納され、また、果実収納凹部３と上記箱体８の底板８ａとは空間Ｓが存在するので、上記果実１１は宙吊り状態で上記薄フィルム１に収納される。また、果実１１の収納状態で、果実１１上部と上記箱体上縁８ｄとの間には若干の空間があるので、上記箱体８上面開口８ｃを平板状の蓋体等（図示せず）で閉鎖することができる。
【００６２】
このとき、上記薄フィルム１の係合用折曲部１ｂは上記外周枠２に接着されているので、上記果実収納凹部３の全てに果実１１を収納しても、その重量により薄フィルム１が下方にずれることはない。また、上記箱体８の中央部には支持突起９ａ，９ｃが存在するので、果実１１の収納時、上記平坦面１ａの長手方向中央部裏面が上記支持突起９ａ，９ｃにより支持され、上記果実１１は、上記外周枠２の上縁２ａ’と上記支持突起９ａ，９ｃに係合するフィルム面（平坦面１ａ，１ａ’）により宙吊り状態で支持される。
【００６３】
かかる果実１１の宙吊り状態において、上記各果実収納凹部３には複数の小通気孔３ａが貫通形成されているので、果実から排出される気体或いは果実に含まれる水分は上記各通気孔３ａから排出される。よって、果実収納薄フィルム１が曇ったり、果実収納凹部３内に水分が溜まることにより、果実の品質劣化を招くことは無く、商品価値の低下を防止することができる。
【００６４】
また、真空成型の方法により、柔軟性のある果実収納凹部３の形成時に、果実収納凹部３と共に各果実収納凹部３内に複数の小通気孔３ａを形成することができ、手作業で通気孔を形成する必要がなく、非常に効率的に小通気孔を形成することができる。
【００６５】
また、このように包装された果実収納容器１２は、単独で、或いは上下方向に積み重ねられた状態でトラック等に収納し運搬される。このとき、各果実１１は上述のように果実収納薄フィルム１により宙吊り状態で包装されているので、運搬時の振動等が生じても、何処にも当接、衝突等することがなく、安全に運搬することができる。
【００６６】
上記果実収納薄フィルム１と外周枠２との接続は、上記ホットメルト接着剤に限らず、外周枠に係合用突起を設け、上記フィルム１の係合用折曲部を上記係合用突起に係合することにより接合することもできる。
【００６７】
尚、上記外周枠２はダンボール板以外にもプラスチックダンボール板、厚紙等により構成することができる。
【００６８】
本発明は上述のように、真空成型法により、熱可塑性合成樹脂薄フィルム１’に果実収納凹部３の形成と共に小通気孔３ａを形成することができ、果実収納凹部３の形成後に、通気孔のみを手作業で形成することなく、効率的に小通気孔３ａを具備した果実収納薄フィルム１を形成することができる。
【００６９】
また、果実収納凹部３に形成された小通気孔３ａにより、果実収納フィルム１に通気性を持たせることができ、果実等の品質劣化を効果的に防止し得る。
【００７０】
また、果実を柔軟な果実収納凹部３に宙吊り状態で支持することができ、果実の損傷を防止し得ると共に、果実収納薄フィルム１の小通気孔３ａにより、通気性を維持することができる。
【００７１】
また、複数の小貫通孔３ａにより十分な通気性を有する果実収納フィルム部材１０及び果実収納容器１２を実現することができる。
【００７２】
また、果実収納薄フィルム１に小通気孔３ａを有する柔軟な果実収納凹部３を非常に効率的に形成することができ、果実収納薄フィルム１成形後に手作業で通気孔を形成する必要がない。また、小通気孔３ａの開口周縁３’は滑らかな面（湾曲面）３”により形成されているので、小通気孔３ａの近傍で収納果実を傷付けることもない。
【００７３】
また、果実を柔軟性のある果実収納薄フィルム１により宙吊り状態で緩衝包装することができ、確実に果実等を緩衝包装し得る果実収納容器を実現し得るものである。
【００７４】
また、塑性変形後も果実収納薄フィルム１自体が全体として柔軟性を有しているので、当該フィルム１自体を折り曲げたり、折り畳む等してコンパクトに収納できる。
【産業上の利用可能性】
【００７５】
本発明の果実収納フィルム部材及び果実収納容器は、果実に限らず、野菜等のように収穫後も呼吸を行う食品の包装に広く用いることができるものである。さらに、小通気孔はその開口周縁が非常に滑らかな曲面となることから美粧性があり、よって、小通気孔によって絵画的表現（例えば複数の小通気孔で星型等を形作る等）を行って意匠的に新規な模様を有する包装フィルムを形成することができ、このように構成すると、果実等に限らず、例えば携帯電話等の一般工業製品の宙吊り包装等にも広く用いることができる。
【符号の説明】
【００７６】
１                果実収納薄フィルム
１ａ，１ａ’      平坦面
１ｂ              係合用折曲部（外周部）
１’              熱可塑性合成樹脂薄フィルム
２                外周枠
２ａ              開口
３                果実収納凹部
３ａ              小通気孔
４                果実収納凹部形成用凹型
５                小貫通孔
６                成形型
８                上面開口有底箱体
８ａ              底板
８ｂ              側板
８ｃ              上面開口部
１０              果実収納フィルム部材
１１              果実
１２              果実収納容器
９ａ，９ｂ，９ｃ  支持突起
Ｈ                ヒータ
Ｐ                接着部
Ｓ                空間
【図１】
2011073734.tif 000003
【図２】
2011073734.tif 000004
【図３】
2011073734.tif 000005
【図４】
2011073734.tif 000006
【図５】
2011073734.tif 000007
【図６】
2011073734.tif 000008
【図７】
2011073734.tif 000009
【図８】
2011073734.tif 000010
【図９】
2011073734.tif 000011